(57)【要約】【課題】主液室内の液圧が急激に変動してもこの圧力変動を吸収する。【解決手段】外筒１１または取付け部材１２に閾値以上の振幅の振動が作用して主液室１６内の液体の圧力が変動したときに、この圧力差によって、可動板１８を、この可動板１８においてピン部材２４に支持された第１被支持部１８ｂを支点として撓ませ、この可動板１８により、第１仕切り板２１または第２仕切り板２２を撓ませることによって、第１仕切り板２１と第２仕切り板２２との間を通して主液室１６と副液室１７とを連通させる。【選択図】図１
2008256035.tif 000002
【特許請求の範囲】
【請求項１】
振動発生部および振動受部のいずれか一方に連結される外筒と、
振動発生部および振動受部のいずれか他方に連結される取付け部材と、
この取付け部材と前記外筒とを弾性的に連結するゴム弾性部と、
このゴム弾性部を隔壁の一部として液体が封入され、かつ前記ゴム弾性部の変形により内容積が変化する主液室と、
液体が封入され、かつ隔壁の一部がダイヤフラムにより形成されて拡縮可能な副液室と、
前記主液室と副液室との間に設けられた仕切り部材と、が備えられ、
この仕切り部材は、各板面が互いに対向するように配置された第１、第２仕切り板と、これらの仕切り板同士の間に配置された可動板と、前記主液室と副液室とを連通するオリフィスと、を備えるとともに、前記第１仕切り板が主液室の隔壁の一部を形成し、前記第２仕切り板が副液室の隔壁の一部を形成した防振装置であって、
前記第１、第２仕切り板にはそれぞれ、前記可動板と対向する位置に貫通孔が形成され、
前記第１仕切り板、第２仕切り板および可動板は支持部材に支持され、
前記外筒または取付け部材に閾値以上の振幅の振動が作用して前記主液室内の液体の圧力が変動したときに、この圧力差によって、前記可動板を、この可動板において前記支持部材に支持された第１被支持部を支点として前記第１仕切り板側または第２仕切り板側に向けて撓ませ、この可動板により、前記第１仕切り板または第２仕切り板を、第１仕切り板または第２仕切り板において前記支持部材に支持された第２被支持部を支点として前記主液室側または副液室側に向けて撓ませることによって、前記第１仕切り板と第２仕切り板との間を通して前記主液室と副液室とを連通させる構成とされたことを特徴とする防振装置。
【請求項２】
請求項１記載の防振装置であって、
前記第１仕切り板、第２仕切り板および可動板はそれぞれ、円板状体とされるとともに、各径方向中央部が前記支持部材に支持されていることを特徴とする防振装置。
【請求項３】
請求項１または２に記載の防振装置であって、
前記支持部材の軸方向両端部のうち少なくとも一端部には、前記第１仕切り板と第２仕切り板との間で、前記第１被支持部をこの支持部材の軸方向に押圧する押圧部材が設けられるとともに、前記可動板はゴム状弾性材で形成され、前記第１被支持部は、前記軸方向に圧縮変形させられていることを特徴とする防振装置。
【発明の詳細な説明】
【技術分野】
【０００１】
本発明は、例えば自動車や産業機械等に適用され、エンジン等の振動発生部の振動を吸収および減衰する防振装置に関するものである。
【背景技術】
【０００２】
この種の防振装置として、従来から、例えば下記特許文献１に示されるような、振動発生部および振動受部のいずれか一方に連結される外筒と、振動発生部および振動受部のいずれか他方に連結される取付け部材と、この取付け部材と前記外筒とを弾性的に連結するゴム弾性部と、このゴム弾性部を隔壁の一部として液体が封入され、かつ前記ゴム弾性部の変形により内容積が変化する主液室と、液体が封入され、かつ隔壁の一部がダイヤフラムにより形成されて拡縮可能な副液室と、前記主液室と副液室との間に設けられた仕切り部材と、が備えられ、この仕切り部材は、各板面が互いに対向するように配置された第１、第２仕切り板と、これらの仕切り板同士の間に配置された可動板と、前記主液室と副液室とを連通するオリフィスと、を備える構成が知られている。
【特許文献１】特開２００５−３５１３５０号公報
【発明の開示】
【発明が解決しようとする課題】
【０００３】
しかしながら、前記従来の防振装置では、外筒若しくは取付け部材に大きな振幅の振動が作用して、主液室内の液体の圧力が急激に変動したときに、オリフィスにおける液体の許容通過流量が不足してこの圧力変動を吸収することができず、例えば主液室内でキャビテーションが発生し、異音を生じさせるおそれがあった。
【０００４】
この発明は、このような事情を考慮してなされたもので、主液室内の液圧が急激に変動してもこの圧力変動を吸収することができる防振装置を提供することを目的とする。
【課題を解決するための手段】
【０００５】
上記課題を解決して、このような目的を達成するために、本発明の防振装置は、振動発生部および振動受部のいずれか一方に連結される外筒と、振動発生部および振動受部のいずれか他方に連結される取付け部材と、この取付け部材と前記外筒とを弾性的に連結するゴム弾性部と、このゴム弾性部を隔壁の一部として液体が封入され、かつ前記ゴム弾性部の変形により内容積が変化する主液室と、液体が封入され、かつ隔壁の一部がダイヤフラムにより形成されて拡縮可能な副液室と、前記主液室と副液室との間に設けられた仕切り部材と、が備えられ、この仕切り部材は、各板面が互いに対向するように配置された第１、第２仕切り板と、これらの仕切り板同士の間に配置された可動板と、前記主液室と副液室とを連通するオリフィスと、を備えるとともに、前記第１仕切り板が主液室の隔壁の一部を形成し、前記第２仕切り板が副液室の隔壁の一部を形成した防振装置であって、前記第１、第２仕切り板にはそれぞれ、前記可動板と対向する位置に貫通孔が形成され、前記第１仕切り板、第２仕切り板および可動板は支持部材に支持され、前記外筒または取付け部材に閾値以上の振幅の振動が作用して前記主液室内の液体の圧力が変動したときに、この圧力差によって、前記可動板を、この可動板において前記支持部材に支持された第１被支持部を支点として前記第１仕切り板側または第２仕切り板側に向けて撓ませ、この可動板により、前記第１仕切り板または第２仕切り板を、第１仕切り板または第２仕切り板において前記支持部材に支持された第２被支持部を支点として前記主液室側または副液室側に向けて撓ませることによって、前記第１仕切り板と第２仕切り板との間を通して前記主液室と副液室とを連通させる構成とされたことを特徴とする。
この発明では、外筒または取付け部材に閾値以上の振幅の振動が作用して主液室内の液体の圧力が急激に変動したときに、この圧力差によって、前記可動板を、この可動板において前記支持部材に支持された第１被支持部を支点として前記第１仕切り板側または第２仕切り板側に向けて撓ませ、この可動板により、前記第１仕切り板または第２仕切り板を、第１仕切り板または第２仕切り板において前記支持部材に支持された第２被支持部を支点として前記主液室側または副液室側に向けて撓ませることによって、前記第１仕切り板と第２仕切り板との間を通して前記主液室と副液室とを連通させるようになっているので、主液室内の液体の圧力が急激に変動したときに、オリフィスのみならず第１仕切り板と第２仕切り板との間の空間をも通して、主液室と副液室とを連通させることが可能になり、主液室内の液圧が急激に変動してもこの圧力変動を吸収することができる。
【０００６】
ここで、前記第１仕切り板、第２仕切り板および可動板はそれぞれ、円板状体とされるとともに、各径方向中央部が前記支持部材に支持されてもよい。
この場合、前述の作用効果が容易かつ確実に奏功されることになる。すなわち、第１仕切り板、第２仕切り板および可動板が、その全周にわたって前述のように撓み変形することになるので、前記空間を介した副液室と主液室との間の液体の流通を十分に確保することができる。
【０００７】
また、前記支持部材の軸方向両端部のうち少なくとも一端部には、前記第１仕切り板と第２仕切り板との間で、前記第１被支持部をこの支持部材の軸方向に押圧する押圧部材が設けられるとともに、前記可動板はゴム状弾性材で形成され、前記第１被支持部は、前記軸方向に圧縮変形させられてもよい。
この場合、可動板がゴム状弾性材で形成されるとともに、この可動板の第１被支持部が、支持部材の軸方向に圧縮変形させられているので、第１仕切り板および第２仕切り板が支持部材に対してがたつき易くなるのを防ぐことができる。すなわち、可動板の第１被支持部の弾性復元力によって、第１仕切り板および第２仕切り板を押圧部材に密接させることが可能になる。したがって、振動の入力に起因して押圧部材と第１仕切り板および第２仕切り板とが衝突することにより、防振装置から異音、騒音が発生するのを抑制することができる。
【発明の効果】
【０００８】
この発明によれば、主液室内の液圧が急激に変動してもこの圧力変動を吸収することができる。
【発明を実施するための最良の形態】
【０００９】
以下、本発明に係る防振装置の一実施形態を、図１および図２を参照しながら説明する。この防振装置１０は、振動発生部および振動受部のいずれか一方に連結される外筒１１と、振動発生部および振動受部のいずれか他方に連結される取付け部材１２と、この取付け部材１２と外筒１１とを弾性的に連結するゴム弾性部１３と、このゴム弾性部１３を隔壁の一部として液体が封入され、かつゴム弾性部１３の変形により内容積が変化する主液室１６と、液体が封入され、かつ隔壁の一部がダイヤフラム１４により形成されて拡縮可能な副液室１７と、主液室１６と副液室１７との間に設けられた仕切り部材１５と、を備えている。
【００１０】
なお、これらの各部材はそれぞれ、中心軸線Ｏと同軸に設けられている。また、主液室１６および副液室１７には、例えばエチレングリコール、水、シリコーンオイル等が封入される。また、この防振装置１０が例えば自動車に装着された場合、取付け部材１２が振動発生部としてのエンジンに連結される一方、外筒１１が図示されないブラケットを介して振動受部としての車体に連結されることにより、エンジンの振動が車体に伝達するのを抑えられるようになっている。
【００１１】
外筒１１は、軸方向一端側の大径部１１ａと、軸方向他端側の小径部１１ｂと、これらの大径部１１ａおよび小径部１１ｂを連結する段部１１ｃと、を備え、これら１１ａ〜１１ｃが前記中心軸線Ｏと同軸に配置されて一体に形成されている。
ここで、取付け部材１２は、外筒１１の軸方向一端よりも前記中心軸線Ｏ方向の外方に配置されている。そして、外筒１１の軸方向一端における開口部がゴム弾性部１３により液密状態で閉塞され、かつ外筒１１の軸方向他端における開口部がダイヤフラム１４により液密状態で閉塞されることにより、外筒１１の内側に液体が封入可能となっている。
【００１２】
なお、ゴム弾性部１３は、外筒１１の軸方向一端部における内周面から前記中心軸線Ｏ方向外方に向けて突出し、かつ前記中心軸線Ｏ方向外方に向かうに従い漸次縮径された円錐台状の本体部１３ａと、この本体部１３ａから外筒１１の内周面に沿ってこの外筒１１の軸方向他端に向けて延びる被覆部１３ｂと、を備え、これら１３ａ、１３ｂが一体に形成されている。被覆部１３ｂは、外筒１１の内周面において本体部１３ａが加硫接着していない部分の全域に加硫接着している。これにより、外筒１１の内周面は、その全域にわたってゴム弾性部１３で覆われている。
【００１３】
仕切り部材１５は、各板面が互いに対向するように配置された第１、第２仕切り板２１、２２と、これらの仕切り板２１、２２同士の間に配置された可動板１８と、外筒１１の内側に嵌合され、主液室１６と副液室１７とを連通するオリフィス１９と、を備えている。第１、第２仕切り板２１、２２は、外筒１１の軸方向に互いに間隔をあけて配置されている。また、第１仕切り板２１は主液室１６の隔壁の一部を形成し、第２仕切り板２２は副液室１７の隔壁の一部を形成している。これらの仕切り板２１、２２にそれぞれ、可動板１８と対向する位置に複数の貫通孔２３が形成されている。なお、複数の貫通孔２３は、第１、第２仕切り板２１、２２にそれぞれ環状に配置されている。
【００１４】
オリフィス１９には、その外周面に周方向に沿って延びるオリフィス通路１９ａと、このオリフィス通路１９ａと主液室１６とを連通する図示されない第１通路と、オリフィス通路１９ａと副液室１７とを連通する図示されない第２通路と、が形成され、これらのオリフィス通路１９ａおよび第１、第２通路を通して、主液室１６と副液室１７とが連通している。
【００１５】
ここで、第１、第２仕切り板２１、２２のうち副液室１７の隔壁の一部を形成する第２仕切り板２２は、リング状のオリフィス１９の内周面において副液室１７側の端部に、この開口面を閉塞するように径方向に沿って延設されている。図示の例では、第２仕切り板２２およびオリフィス１９は、例えばＡｌ等の金属材料で一体に形成されており、オリフィス１９において副液室１７側の端面と第２仕切り板２２の副液室１７側の表面とが面一になっている。
【００１６】
さらに、オリフィス１９において主液室１６側の開口端面に、この開口部を閉塞するように第１仕切り板２１が配置されており、これによりオリフィス１９の径方向内側において第１仕切り板２１と第２仕切り板２２との間に空間が画成されている。そして、この空間内に可動板１８が配置されている。なお、第１仕切り板２１および可動板１８はそれぞれ円板状体とされており、それぞれの径方向中央部に後述するピン部材（支持部材）２４が嵌合した嵌合孔２１ａ、１８ａが形成されている。また、第１仕切り板２１は、例えばばね鋼等の金属材料で可動板１８およびオリフィス１９の内周面よりも大径に形成されている。さらに、第１仕切り板２１の外周縁は主液室１６側に反っている。また、可動板１８はゴム状弾性材により形成されている。さらに、可動板１８の曲げ剛性は第１仕切り板２１の曲げ剛性よりも小さくなっている。
【００１７】
ここで、本実施形態では、第２仕切り板２２において主液室１６側（前記空間側）の表面における径方向中央部に、主液室１６側に向けてピン部材２４が突設されている。なお、このピン部材２４は第２仕切り板２２と一体に形成されている。また、ピン部材２４の先端部は主液室１６内に位置している。
【００１８】
可動板１８において、径方向中央部および外周部はそれぞれ、これらの間に位置する部分（以下、「中間部分」という）１８ｄよりも厚さが大きい第１厚肉部（第１被支持部）１８ｂ、および第２厚肉部１８ｃとなっている。なお、第１厚肉部１８ｂに前記嵌合孔１８ａが形成されている。また、第１、第２仕切り板２１、２２にそれぞれ形成された複数の貫通孔２３は、可動板１８の前記中間部分１８ｄに向けて開口している。
【００１９】
そして、第２厚肉部１８ｃは、オリフィス１９の内周面および第１、第２仕切り板２１、２２の各表面に液密状態で当接している。
なお、前記中間部分１８ｄは、第１仕切り板２１および第２仕切り板２２の双方と非接触となっている。
【００２０】
また、図示の例では、ピン部材２４の先端にかしめ部（押圧部材）２４ａが設けられており、このかしめ部２４ａと第２仕切り板２２の表面との間で、第１仕切り板２１および可動板１８が、ピン部材２４の軸方向に押圧され、かつ第１厚肉部１８ｂが前記軸方向に圧縮変形させられた状態でピン部材２４に支持されている。
【００２１】
以上より、外筒１１若しくは取付け部材１２に微小な振幅（例えば±０．５ｍｍ以下）を有する振動が作用して、主液室１６内の液体の圧力が変化したときは、可動板１８と、第１、第２仕切り板２１、２２およびオリフィス１９と、の間の液密状態を維持しつつ、可動板１８の前記中間部分１８ｄを、第１、第２仕切り板２１、２２同士の間で前記中心軸線Ｏ方向に振動させ、かつゴム弾性部１３を振動させて、この振動を吸収および減衰させる。
【００２２】
また、外筒１１若しくは取付け部材１２に、前記微小な振幅よりも大きくかつ閾値（例えば±３ｍｍ）より小さい振幅を有する振動が作用して、主液室１６内の液体の圧力が変化すると、可動板１８の前記中間部分１８ｄを振動させつつ、オリフィス１９を通して主液室１６および副液室１７の相互間で液体を流通させることにより、この振動を吸収および減衰させる。
【００２３】
そしてさらに、外筒１１若しくは取付け部材１２に前記閾値以上の振幅の振動が作用して、主液室１６内の液体の圧力が急激に低下したときは、この圧力差によって、可動板１８を、第１厚肉部１８ｂを支点として第１仕切り板２１側に向けて弾性変形域内で撓ませ、さらにこの可動板１８により、第１仕切り板２１を、この第１仕切り板２１において第１厚肉部１８ｂとかしめ部２４ａとで挟まれた部分（第２被支持部）を支点として主液室１６側に向けて押し上げることによって、第２仕切り板２２に形成された貫通孔２３、および第１仕切り板２１と第２仕切り板２２との間を通して主液室１６と副液室１７とを連通させ、副液室１７から主液室１６内に液体を吸入することにより、主液室１６内の液体の急激な圧力低下を吸収させる。
【００２４】
以上説明したように、本実施形態による防振装置１０によれば、外筒１１または取付け部材１２に閾値以上の振幅の振動が作用して主液室１６内の液体の圧力が急激に低下したときに、この圧力差が第１仕切り板２１の貫通孔２３を通して可動板１８に作用し、この可動板１８が、第１厚肉部１８ｂを支点として第１仕切り板２１側に向けて撓み、さらにこの可動板１８により、第１仕切り板２１が、前記第２被支持部を支点として主液室１６側に向けて押し上げられることによって、主液室１６と副液室１７とが連通するようになっているので、主液室１６内の液体の圧力が急激に低下したときに、副液室１７内の液体を、オリフィス１９のみならず第１仕切り板２１と第２仕切り板２２との間の空間をも通して主液室１６内に吸入することが可能になり、主液室１６内の液圧が急激に低下してもこの圧力変動を吸収することができる。
【００２５】
また、本実施形態では、第１、第２仕切り板２１、２２、および可動板１８がそれぞれ、円板状体とされるとともに同軸上に配置され、ピン部材２４が、第２仕切り板２２の表面における径方向中央部に立設され、前記第１厚肉部１８ｂが可動板１８の径方向中央部とされるとともに、前記第２被支持部が第１仕切り板２１の径方向中央部とされているので、前述の作用効果が容易かつ確実に奏功されることになる。
すなわち、可動板１８および第１仕切り板２１が、その全周にわたって前述のように変形することになるので、前記空間を通した副液室１７内の液体の主液室１６内に向けた流量を十分に確保することができ、前述の作用効果をより一層確実に奏功させることができる。
【００２６】
さらに、本実施形態では、ピン部材２４の先端にかしめ部２４ａが設けられるとともに、可動板１８がゴム状弾性材で形成され、第１厚肉部１８ｂがピン部材２４の軸方向に圧縮変形させられているので、第１仕切り板２１がかしめ部２４ａに対してがたつき易くなるのを防ぐことができる。すなわち、可動板１８の第１厚肉部１８ｂの弾性復元力によって、第１仕切り板２１をかしめ部２４ａに密接させることが可能になる。したがって、振動の入力に起因してかしめ部２４ａと第１仕切り板２１とが衝突することにより、防振装置１０から異音、騒音が発生するのを抑制することができる。
【００２７】
なお、本発明の技術的範囲は前記実施の形態に限定されるものではなく、本発明の趣旨を逸脱しない範囲において種々の変更を加えることが可能である。
例えば、前記実施形態では、可動板１８に第１厚肉部１８ｂおよび第２厚肉部１８ｃを設けたが、これらの厚肉部１８ｂ、１８ｃを有さない可動板を採用してもよい。
また、第１厚肉部１８ｂを圧縮変形させたが、第１厚肉部１８ｂを圧縮変形させなくてもよい。
【００２８】
さらに、第１厚肉部１８ｂを前述のように圧縮変形させるのに、ピン部材２４にかしめ部２４ａを形成したが、これに代えて例えば、ピン部材２４の外周面に雄ねじ部を形成し、この雄ねじ部にナットを螺着することによって、第１厚肉部１８ｂを圧縮変形させるようにしてもよい。
【００２９】
また、図３に示されるような、第２厚肉部１８ｃを有しない可動板１８を採用し、かつこの可動板１８の外周縁と、オリフィス１９の内周面との間に隙間が形成された構成を採用してもよい。
そして、外筒１１若しくは取付け部材１２に前記閾値より小さい振幅の振動が作用したときは、第１、第２仕切り板２１、２２に形成された貫通孔２３と、可動板１８の外周縁とオリフィス１９の内周面との間の隙間と、を通して、主液室１６と副液室１７とを連通させ、前記閾値以上の振幅の振動が作用して主液室１６内の液体の圧力が急激に低下したときには、この圧力差によって、可動板１８を前記実施形態と同様に撓ませることにより、第１仕切り板２１に形成された貫通孔２３を閉塞させつつ、この第１仕切り板２１を主液室１６側に向けて押し上げさせて、主液室１６と副液室１７とを連通させるようにしてもよい。
【００３０】
また、前記実施形態のピン部材２４に代えて、例えばピン部材を樹脂材料で形成してもよい。さらに、この樹脂材料からなるピン部材では、その先端にかしめ部２４ａを設けるのに代えて溶着部を設けてもよい。この溶着部は、このピン部材を可動板１８および第１仕切り板２１の各嵌合孔１８ａ、２１ａに嵌合した後に、可動板１８および第１仕切り板２１を第２仕切り板２２に向けて押圧した状態で、ピン部材において第１仕切り板２１の表面から主液室１６側に突出した部分を溶融して、第１仕切り板２１の表面に溶着することにより形成してもよい。
【００３１】
また、第１仕切り板２１に複数のスリットを形成してもよい。この場合、可動板１８を前述のように圧力差により撓ませたときに、この可動板１８により第１仕切り板２１を主液室１６側に向けて容易かつ確実に押し上げることができる。
なお、前記スリットは、第１仕切り板２１の径方向に延在し、かつこの第１仕切り板２１の外周縁に到達させるとともに、周方向に間隔をあけて複数形成するのが好ましい。
【００３２】
さらに、前記実施形態では、ピン部材２４を第２仕切り板２２において主液室１６側の表面の径方向中央部に立設し、第１仕切り板２１および可動板１８それぞれの径方向中央部をピン部材２４で支持したが、第２仕切り板２２においてピン部材２４を立設する位置や、第１仕切り板２１および可動板１８においてピン部材２４に支持される部分は前記実施形態に限られるものではない。
【００３３】
また、前記実施形態では、ピン部材２４と第２仕切り板２２とを一体に形成したが、それぞれを別部材としてもよい。そして、オリフィス１９において副液室１７側の開口端面に、この開口部を閉塞するように、第１仕切り板２１と同様にして第２仕切り板２２を配置してもよい。さらにこの構成において、かしめ部２４ａはピン部材２４の軸方向両端部に設け、これらの両かしめ部２４ａにより、前記実施形態と同様に可動板１８の第１厚肉部１８ｂをピン部材２４の軸方向に圧縮変形させてもよい。
なお、第２仕切り板２２は例えばばね鋼等の金属材料で形成し、その曲げ剛性を第１仕切り板２１の曲げ剛性以上としてもよい。
【００３４】
この構成では、主液室１６内の液圧が急激に負圧状態になったときのみならず、急激に正圧状態になったときにおいても、この圧力変動を吸収することができる。
すなわち、主液室１６内の液圧が急激に上昇したときに、その圧力差が、第１仕切り板２１の貫通孔２３を介して可動板１８に作用し、この可動板１８が、第１厚肉部１８ｂを支点として第２仕切り板２２側に向けて撓み、さらにこの可動板１８により、第２仕切り板２２が、この第２仕切り板２２において第１厚肉部１８ｂとかしめ部２４ａとで挟まれた部分（第２被支持部）を支点として副液室１７側に向けて押し下げられることによって、主液室１６と副液室１７とが連通する。
【００３５】
したがって、主液室１６内の液体の圧力が急激に上昇したときに、主液室１６内の液体を、オリフィス１９のみならず第１仕切り板２１と第２仕切り板２２との間の空間をも通して副液室１７内に吸入することが可能になり、主液室１６内の液圧が急激に上昇してもこの圧力変動を吸収することができる。
【産業上の利用可能性】
【００３６】
主液室内の液圧が急激に変動してもこの圧力変動を吸収することができる。
【図面の簡単な説明】
【００３７】
【図１】本発明に係る一実施形態として示した防振装置の断面図である。
【図２】図１に示す防振装置において、主液室内の液体の圧力が急激に低下したときの仕切り部材の一部拡大断面図である。
【図３】本発明に係る他の実施形態として示した防振装置の一部拡大断面図である。である。
【符号の説明】
【００３８】
１０  防振装置
外筒取付け部材１３  ゴム弾性部
ダイヤフラム１５  仕切り部材
主液室１７  副液室
１８  可動板
１８ｂ  第１厚肉部（第１被支持部）
１９  オリフィス
２１  第１仕切り板
２２  第２仕切り板
２３  貫通孔
ピン部材（支持部材）２４ａ  かしめ部（押圧部材）
【図１】
2008256035.tif 000003
【図２】
2008256035.tif 000004
【図３】
2008256035.tif 000005